(57)【特許請求の範囲】
【請求項１】
音波を電気的な音声信号に変換するマイクロホンユニットを備え、上記マイクロホンユニットから出力される音声信号を電波もしくは赤外線にて送信するワイヤレスマイクロホンにおいて、
トーン信号を発生するトーン信号発生部と、メモリと、上記メモリにコード化された所定の情報を書き込む情報入力手段と、上記メモリから上記情報をシリアルデータとして読み出す送信側制御手段と、上記送信側制御手段より読み出された上記情報のシリアルデータにより上記トーン信号からトーンバースト信号を生成するトーンバースト生成部と、上記トーンバースト信号と上記マイクロホンユニットから出力される音声信号とを混合するミキサー部と、上記ミキサー部で混合された混合信号にて搬送波を変調する変調部と、その変調信号を電波もしくは赤外線にて送信する高周波出力部とを備え、
上記情報入力手段から上記メモリに書き込まれる情報に少なくとも当該マイクロホンの使用者名を特定するＡＳＣＩＩ（アスキー）コードからなる使用者名情報が含まれ、当該マイクロホンの使用時に、上記使用者名情報が送信されることを特徴とするワイヤレスマイクロホン。
【請求項２】
上記情報入力手段から上記メモリに書き込まれる情報には、上記ＡＳＣＩＩ（アスキー）コードからなる使用者名情報のほかに、少なくとも当該マイクロホンのオーディオアンプゲイン，送信出力値，オーディオミュートの各設定情報がさらに含まれる請求項１に記載のワイヤレスマイクロホン。
【発明の詳細な説明】
【０００１】
【発明の属する技術分野】
本発明は、ワイヤレスマイクロホンに関し、さらに詳しく言えば、ステージなどで複数本のワイヤレスマイクロホンを同時に使用する場合、各ワイヤレスマイクロホンに設定した使用者名や種々の設定値を受信機側で認識可能とする技術に関するものである。
【０００２】
【従来の技術】
広いステージや会議場などで複数本（例えば、数１０本単位）のワイヤレスマイクロホンを同時に使用する場合、受信機も同じ数だけ用意される。すなわち、ワイヤレスマイクロホンと受信機は、割り当てられた周波数ごとに対として組み合わせられる。
【０００３】
どのワイヤレスマイクロホン（以下、単にマイクロホンということがある。）がどの受信機に対応しているかを知るには、マイクロホンから受信機に対して識別信号などを与えればよいのであるが、従来において、マイクロホンから受信機に対して与える情報は電池の残量データに限られていた（例えば、下記特許文献１参照）。
【０００４】
そのため、従来ではマイクロホンの使用者とその受信機の組み合わせ表をあらかじめ作成し、その組み合わせをメモなどに書き取ってマイクロホンと受信機に表示するようにしている。しかしながら、これによるとマイクロホンの使用者や設定が変わるたびに、その表示を更新する手間がかかるばかりでなく、間違いも発生しやすいという問題があった。
【０００５】
【特許文献１】
特開２０００−２０９６８７号公報
【０００６】
【発明が解決しようとする課題】
本発明は、上記した課題を解決するためになされたもので、その目的は、マイクロホンの使用者名やマイクロホンの種別，オーディオアンプゲインそれにＲＦ出力値などの各設定値を記憶し、これらの情報を受信機に対して適宜送信することができるようにしたワイヤレスマイクロホンを提供することにある。
【０００７】
【課題を解決するための手段】
上記目的を達成するため、本発明は、音波を電気的な音声信号に変換するマイクロホンユニットを備え、上記マイクロホンユニットから出力される音声信号を電波もしくは赤外線にて送信するワイヤレスマイクロホンにおいて、トーン信号を発生するトーン信号発生部と、メモリと、上記メモリにコード化された所定の情報を書き込む情報入力手段と、上記メモリから上記情報をシリアルデータとして読み出す送信側制御手段と、上記送信側制御手段より読み出された上記情報のシリアルデータにより上記トーン信号からトーンバースト信号を生成するトーンバースト生成部と、上記トーンバースト信号と上記マイクロホンユニットから出力される音声信号とを混合するミキサー部と、上記ミキサー部で混合された混合信号にて搬送波を変調する変調部と、その変調信号を電波もしくは赤外線にて送信する高周波出力部とを備え、上記情報入力手段から上記メモリに書き込まれる情報に少なくとも当該マイクロホンの使用者名を特定するＡＳＣＩＩ（アスキー）コードからなる使用者名情報が含まれ、当該マイクロホンの使用時に、上記使用者名情報が送信されることを特徴としている。
【０００８】
この場合、上記情報入力手段から上記メモリに書き込まれる情報に、上記ＡＳＣＩＩ（アスキー）コードからなる使用者名情報のほかに、少なくとも当該マイクロホンのオーディオアンプゲイン，送信出力値，オーディオミュートの各設定情報をさらに含ませることができる。
【０００９】
これによれば、受信機側にマイクロホンの使用者名を含む情報が与えられるため、あらかじめ組み合わせ表を作成しなくても、どのマイクロホンとどの受信機とが対であるかを正確に認識することができる。また、受信機側でマイクロホンの設定状態をも知ることができる。
【００１０】
【発明の実施の形態】
次に、図面を参照しながら、本発明の実施形態について説明するが、本発明はこの実施形態に限定されるものではない。図１にワイヤレスマイクロホン１０のブロック図を示し、図２に受信機３０のブロック図を示す。なお、ワイヤレスマイクロホンを単にマイクロホンと言うことがある。
【００１１】
このマイクロホン１０は、音声信号処理部１１とトーン信号発生部１２とを備えている。音声信号処理部１１には、到来する音波を電気信号に変換する図示しないマイクロホンユニット（カプセル）が含まれている。トーン信号発生部１２からはトーンスケルチ用の特定周波数のトーン信号Ｔｓが出力される。この例において、トーン信号Ｔｓは３２ｋＨｚである。
【００１２】
また、このマイクロホン１０には、メモリ１３ａを有する送信側制御手段としてのＣＰＵ１３と、メモリ１３ａに後述するコード化された情報を書き込む情報入力手段としての操作部１４とが設けられている。ＣＰＵ１３は、メモリ１３ａに書き込まれている情報をシリアルデータＳｄとして読み出す。
【００１３】
このシリアルデータＳｄとトーン信号Ｔｓとがトーンバースト生成部１５に入力され、シリアルデータＳｄによりトーン信号Ｔｓからトーンバースト（ｔｏｎｅ  ｂｕｒｓｔ）信号Ｔｂが作られる。
【００１４】
すなわち、トーンバースト生成部１５において、シリアルデータＳｄはゲート信号であり、「Ｈｉ（＝１）」「Ｌｏ（＝０）」のうち、例えば「Ｈｉ」のときのみトーン信号Ｔｓを通過させる。これにより、トーン信号発生部１２から連続的に出力されるトーン信号Ｔｓから、トーン信号なしの期間（トーン信号不存在期間）を置いて不連続とされたトーンバースト信号Ｔｂが生成される。
【００１５】
このトーンバースト信号Ｔｂと音声信号処理部１１からの音声信号Ａｓとがミキサー部１６で混合される。そして、その混合信号により次段の変調部１７で搬送波に変調（この例ではＦＭ変調）がかけられ、その変調信号が無線信号として高周波出力部１８から受信機３０に送信される。このマイクロホン１０はワイヤレスであるから、高周波出力部１８には、送信アンテナもしくは赤外線発光ダイオードが用いられる。
【００１６】
受信機３０は、マイクロホン１０から送信されてくる変調信号をチューナ部３１で受信し、その変調信号を次段のＦＭ復調部３２で復調するが、この場合、ＦＭ復調部３２の出力側にトーン信号フィルタ部３３とミュート回路３４とが直列に接続され、ミュート回路３４を通過した音声信号Ａｓが音声出力部３５から図示しないスピーカ装置に与えられる。
【００１７】
トーン信号フィルタ部３３は、ＦＭ復調部３２で復調された復調信号に含まれているトーンバースト信号Ｔｂを抽出し、音声信号Ａｓをミュート回路３４に与える。トーン信号フィルタ部３３で抽出されたトーンバースト信号Ｔｂは、トーンデコーダ３６により元のシリアルデータＳｄに復元される。
【００１８】
すなわち、トーンデコーダ３６は、トーンバースト信号Ｔｂのうち、トーン信号Ｔｓがある期間をパルス波形の「Ｈｉ」部分とし、トーン信号Ｔｓがない期間（トーン信号不存在期間）をパルス波形の「Ｌｏ」部分として、トーンバースト信号Ｔｂから、送信側のＣＰＵ１３がメモリ１３ａから読み出したシリアルデータＳｄを復元する。
【００１９】
受信機３０側の制御手段であるＣＰＵ３７は、そのシリアルデータＳｄを日常言語に変換して、受信機３０に設けられているＬＣＤなどの表示器３７ａに表示する。なお、この例では、ＣＰＵ３７とトーンデコーダ３６とを別構成としているが、ＣＰＵ３７自体にトーンデコーダ３６の機能を持たせることもできる。
【００２０】
受信機３０は、ミュート回路３４を制御するトーンスケルチ回路３８を備えている。トーンスケルチ回路３８は、マイクロホン１０からトーン信号Ｔｓが送信されている間、ミュート回路３４のミュート機能をオフとする。
【００２１】
しかしながら、この場合、マイクロホン１０から受信機３０に送信されるトーン信号Ｔｓは、トーン信号不存在期間を含む間欠的なトーンバースト信号Ｔｂである。したがって、このままであると頻繁にミュート回路３４がオンオフしてしまう。
【００２２】
これを防止するため、トーン信号を所定期間（この例では１５０ｍｓ）だけ保持するホールド回路３９が設けられている。このホールド回路３９は、トーンバースト信号Ｔｂに含まれているトーン信号Ｔｓを検出し、そのトーン信号Ｔｓをトーン信号不存在期間以上の期間にわたって保持し、その間トーンスケルチ回路３８にトーン信号ありの状態を示す信号を出力する。
【００２３】
これにより、トーン信号Ｔｓが断続していても、トーンスケルチ回路３８はトーン信号Ｔｓが連続していると判断し、誤って受信機３０をミュートすることがなくなる。なお、この例では、トーンスケルチ回路３８とミュート回路３４とを別構成としているが、トーンスケルチ回路３８自体にミュート機能を持たせることもできる。
【００２４】
また、一般的に、送信機が電波の送信を停止する場合、トーン信号を先に止め受信機側のミュート回路が十分に働く時間（安定時間）を待ってから電波の送信を停止することにより、受信機側で送信機側の電源断によるノイズが発生しないようにしているが、上記ホールド時間をミュート安定時間に加算することにより、送信機側の電源断によるノイズ発生を防止できる。
【００２５】
次に、図３を参照して、操作部１４からメモリ１３ａに書き込まれるマイクロホン情報（送信データ）について説明する。この例では、各送信データを識別するため、４ビットのインデックスコードが用いられている。
【００２６】
インデックスコード「０ｘ００」（１６進数のＣ言語表示）はオーディオアンプゲインの送信データで、データフォーマットは８ビットである。前半の４ビットはマイクロホンの種類（コンデンサマイク，ダイナミックマイクの別）を意味し、後半の４ビットはゲイン値を表している。
【００２７】
インデックスコード「０ｘ０１」は各設定値の送信データで、データフォーマットは８ビットである。Ｂｉｔ０はＲＦ出力値で、０はＬｏｗ，１はＨｉｇｈを意味している。Ｂｉｔ１は送信機（マイクロホン）の種類で、０はＢＰ（ベルトパック型），１はＨＨ（ハンド型）を意味している。
【００２８】
Ｂｉｔ２は入力選択状態で、０はギター用，１はボーカル用を意味している。Ｂｉｔ３はリミッタ使用状況で、０はＯｆｆ，１はＯｎである。Ｂｉｔ４はプリエンファシス使用状況で、０はＯｆｆ，１はＯｎである。Ｂｉｔ５はミュート状態（手動）で、０はノーマル，１はミュートオンである。
【００２９】
Ｂｉｔ６〜７はキーガード使用状態で、００，０１，１０，１１によってそれぞれノーロック，パワーロック，ミュートロック，オールロックが設定される。インデックスコード「０ｘ０２」は８ビットのうち、Ｂｉｔ０〜３までが使用者が任意に設定するプリセット番号用で、Ｂｉｔ４〜７が電池残量に割り当てられている。
【００３０】
そして、インデックスコード「０ｘ０ａ」〜「０ｘ０ｆ」までがマイクロホン使用者を特定するための任意の文字列を設定する部分で、この例では設定できる文字数は６文字、入力はＡＳＣＩＩ（アスキー）コードによる。
【００３１】
なお、詳しくは図示しないが、操作部１４には、基本的な操作キーとしてＵＰキー，ＤＯＷＮキー，ＭＯＤＥ／ＳＥＴキーの３つの操作キーと、液晶表示パネルとが設けられ、液晶表示パネルを見ながら、３つの操作キーを操作して上記した各マイクロホン情報を入力する。
【００３２】
図４に送信データのフレーム構成を示す。８ビットのフレームリーダーの後に同じデータがデータ（１），（２）として２つつなげられ、１回の送信（非同期シリアル伝送）で同じデータが上記トーンバースト信号Ｔｂに含まれた状態で２度送られる。受信機３０側では、そのデータ（１）とデータ（２）とを照合し、内容が同一であることを確認していずれか一方のデータを取得する。
【００３３】
図５にデータのフォーマットを示す。ａはスタートビット（１ビット），ｂはインデックス（４ビット），ｃはセパレータ（２ビット），ｄはデータ（８ビット），ｅはストップシーケンス（５ビット）である。このデータ伝送は、情報入力時，修正・変更時を含めてマイクロホン１０を使用している間、一定時間ごとに繰り返し送信され、受信機３０の表示器３７ａに表示される。
【００３４】
【発明の効果】
以上説明しように、本発明によれば、マイクロホンにメモリを設けて、使用者名やマイクロホンの種別，オーディオアンプゲインそれにＲＦ出力値などの各設定値を記憶させ、これらのマイクロホン情報を受信機に対して適宜送信するようにしたことにより、マイクロホン使用者名を手掛かりとしてマイクロホンと受信機とを常に一対として管理することができる。その際、使用者名に関連づけられたマイクロホンの設定状態も受信機に送られるため、使用者特有の設定状態も受信機側で一元管理／確認することができる。
【図面の簡単な説明】
【図１】本発明によるワイヤレスマイクロホンの構成を示すブロック図。
【図２】上記ワイヤレスマイクロホンと組み合わせて用いられる受信機の構成を示すブロック図。
【図３】本発明によるワイヤレスマイクロホンに入力されるマイクロホン情報を表形式で例示した説明図。
【図４】本発明によるワイヤレスマイクロホンから送信される送信データのフレーム構成を示す説明図。
【図５】上記送信データに含まれるデータのフォーマットを示す説明図。
【符号の説明】
１０  ワイヤレスマイクロホン
１１  音声信号処理部
１２  トーン信号発生部
１３  送信側ＣＰＵ
１３ａ  メモリ
１４  操作部
１５  トーンバースト生成部
１６  ミキサー
１７  変調部
１８  高周波出力部
３０  受信機
３１  チューナ部
３２  復調部
３３  トーン信号フィルタ部
３４  ミュート回路
３５  音声出力部
３６  トーンデコータ
３７  受信側ＣＰＵ
３７ａ  表示器
３８  トーンスケルチ回路
３９  ホールド回路
【図１】
0003993059.tif 000002
【図２】
0003993059.tif 000003
【図３】
0003993059.tif 000004
【図４】
0003993059.tif 000005
【図５】
0003993059.tif 000006